(57)【要約】      （修正有）【解決手段】建物構造１０は、柱２０で支持され、直交する２本の本体梁１８に斜め梁３０および多角形梁３６を連結して形成される。多角形梁３６は持ち出し梁３４で支持され、持ち出し梁３４およびそれと接合する斜め梁３０は控梁３２により支持される。また、多角形梁３６は直線状の梁部分３８を連結して形成される。【効果】搬送効率などが良い直線状の梁を用い、かつ梁の長さおよび連結角度を変えることにより、多様な外観形状の非矩形平面空間１４の建物構造を安価に作ることができる。【選択図】  図１
2006132179.tif 000002
【特許請求の範囲】
【請求項１】
柱に支えられ、かつ直交する２本の本体梁、および
両端がそれぞれ前記２本の本体梁の各先端に連結される斜め梁を備える、建物構造。
【請求項２】
前記２本の本体梁の直交部分と前記斜め梁とを連結する控梁、および
前記斜め梁に連結し、かつ前記控梁を延長する持ち出し梁をさらに備える、請求項１記載の建物構造。
【請求項３】
複数の直線状の梁を連結して形成される多角形梁をさらに備え、
前記多角形梁の両端がそれぞれ前記本体梁の各先端に連結するとともに、前記持ち出し梁によって前記多角形梁を支持する、請求項２記載の建物構造。
【発明の詳細な説明】
【技術分野】
【０００１】
この発明は、建物構造に関し、特にたとえば、建物の一部に非矩形平面空間を有する、建物構造に関する。
【背景技術】
【０００２】
従来の外壁パネル構造の一例が、特許文献１に開示されている。この特許文献１の建物ユニットでは、それぞれ３本の梁を用いて略三角形状の上梁および下梁を形成し、上梁と下梁との間に３本の柱を架け渡している。
【０００３】
上梁および下梁の内の２本の梁に直線状の梁を用いれば建物の外観は三角柱状になり、梁に半円形状の梁を用いれば建物の外観は半円形状になる。
【特許文献１】特開平５−２７２１７７号公報［Ｅ０４Ｂ  １／３４８］
【発明の開示】
【発明が解決しようとする課題】
【０００４】
しかしながら、特許文献１のように梁の形状を変えることにより、三角柱状や半円形状などの建物ユニットを形成できるが、３本の梁では建物ユニットの形状に限界がある。
【０００５】
また、外壁側に設けられる柱により窓の配置や大きさなど外壁のプランニングが制限される。
【０００６】
さらに、半円形状の建物ユニットでは半円形状の特殊な形状および特殊な加工を施した梁や外壁などを用いなければならず、製品コストが嵩む。この上、これらを搬送する際、平面形状の外壁や直線状の梁などに比べてこれらには無駄なスペースが多いため、搬送コストが嵩む。
【０００７】
これらの問題を解決する方法として、建物の本体構造の梁を持ち出して、その梁を非矩形に曲げ、梁に沿って外面が平面の外壁パネルを並べて、非矩形平面空間の外壁を形成する方法が考えられる。
【０００８】
しかし、この方法では、たとえばＨ形鋼の対向する２つの面をその面の側方側に曲げなければならない。このため、特殊な製造装置により特殊な製造方法（例えば、溶解された鋼の特殊成型等）によれば曲げた梁を製造できる可能性もあるが、この製造方法は一般的でないため、梁は高コストとなってしまう。
【０００９】
また、この梁の形状を各非矩形平面空間に合わせると、その梁の種類が多くなってしまい、梁のコストがさらに高くなる。
【００１０】
さらに、梁を工場で予め曲げておくと、曲げた梁を積載しにくく搬送効率が悪いため、搬送コストが嵩む。
【００１１】
それゆえに、この発明の主たる目的は、多様な外観形状を作り出せ、かつコストを抑えた、建物構造を提供することである。
【課題を解決するための手段】
【００１２】
請求項１の発明は、柱に支えられ、かつ直交する２本の本体梁、および両端がそれぞれ２本の本体梁の各先端に連結される斜め梁を備える、建物構造である。
【００１３】
請求項１の発明では、柱で支持された２本の本体梁の各先端に斜め梁の両端をそれぞれ連結すると、形成された三角形の平面は安定し、その建物構造の強度は高い。
【００１４】
そして、この安定し強度の高い建物構造に、たとえば平面非矩形の多角形梁を取り付ければ、多角形梁は三角形の平面以外の部分だけを支持すればよいので、多角形梁に大きな強度は要求されない。このため、多角形梁を分割し、たとえば直線状の梁を連結して形成することができる。
【００１５】
また、多角形梁に沿って、外面が平面の外壁パネルを並べて建物の外壁が形成される。この多角形梁の形状を変え、それに合わせて外壁パネルを並べれば、多様な形状の外壁を形成できる。
【００１６】
請求項２の発明は、２本の本体梁の直交部分と斜め梁とを連結する控梁、および斜め梁に連結し、かつ控梁を延長する持ち出し梁をさらに備える、請求項１記載の建物構造である。
【００１７】
請求項２の発明では、控梁を２本の本体梁の直交部分と斜め梁との間に連結すれば、本体梁および斜め梁の三角形の中に控梁が架けられるため、控梁の剛性は高い。よって、控梁を延長するように持ち出し梁を斜め梁に連結することにより、持ち出し梁が下に下がろうとして斜め梁に捩れが作用するのを防止する。
【００１８】
請求項３の発明は、複数の直線状の梁を連結して形成される多角形梁をさらに備え、多角形梁の両端がそれぞれ本体梁の各先端に連結するとともに、持ち出し梁によって多角形梁を支持する、請求項２記載の建物構造である。
【００１９】
請求項３の発明では、複数の直線状の梁を連結して非矩形平面空間の非矩形に対応する多角形梁を形成し、これを本体梁および持ち出し梁に連結することにより、非矩形平面空間の建物構造が形成される。
【００２０】
この建物構造の本体梁および斜め梁で形成された部分の強度は高いため、多角形梁を本体梁および斜め梁に接合する持ち出し梁で支え、しかも持ち出し梁を控梁で支持すると、非矩形平面空間の建物構造全体の強度は高まる。
【００２１】
また、多角形梁は本体梁などにより支持されるため、多角形梁に沿って外壁パネルなどを配置すれば、外壁を自由にプランニングすることができる。
【発明の効果】
【００２２】
この発明によれば、本体梁および斜め梁を用いて安定した強度の高い建物構造を形成することにより、生産性および搬送効率などに優れる直線状の梁を用いることができ、しかも梁の長さや連結角度を変えることにより、コストを抑えながら多様な外観形状の建物構造を作り出せる。
【００２３】
この発明の上述の目的，その他の目的，特徴および利点は、図面を参照して行う以下の実施例の詳細な説明から一層明らかとなろう。
【発明を実施するための最良の形態】
【００２４】
図１に示すこの発明の一実施例である建物構造１０は図２および図３に示す建物１２の非矩形平面空間１４に用いられる。非矩形平面空間１４は水平面が非矩形の空間であり、建物１２の本体構造１６の一部に設けられ、本体構造１６の本体梁１８、柱２０、壁などの一部を共有する。たとえば、居室やバルコニなどに利用される。本体構造１６は直線状のＨ形鋼などの本体梁１８を備え、本体梁１８は柱２０により支えられる。
【００２５】
図１および図３に示すように、直交した２本の本体梁１８に斜め梁３０が連結される。斜め梁３０は、たとえば本体梁１８と同様の直線状のＨ形鋼である。斜め梁３０の両端をそれぞれ２本の本体梁１８の各先端に接合して、２本の本体梁１８および斜め梁３０で三角形の平面を形成する。
【００２６】
この三角形の中に控梁３２が取り付けられる。控梁３２は直線状のＨ形鋼などで、その一方端は２本の本体梁１８の直交部分と接合し、他方端は斜め梁３０と直角に接合して、本体梁１８と斜め梁３０とを連結する。この控梁３２を延長するように、持ち出し梁３４の一端が斜め梁３０と直角に連結して、他端は多角形梁３６と接合する。持ち出し梁３４は直線状のＨ形鋼などである。つまり、控梁３２は斜め梁３０の一方面に接合し、持ち出し梁３４はその接合位置の斜め梁３０の他方面に接合し、控梁３２と持ち出し梁３４は直線状になる。
【００２７】
多角形梁３６は分割され、複数、この実施例では７つの梁部分３８を有する。梁部分３８は短い直線状のコ字型鋼などであり、これらを非矩形平面空間１４に対応する非矩形の形状に連結して多角形梁３６を形成する。たとえば、７つの梁部分３８を３つの梁部分３８のブロック３６ａ、２つの梁部分３８のブロック３６ｂ、および３つの梁部分３８のブロック３６ｃの３つのブロックに分けて、各ブロック３６ａ、３６ｂ、３６ｃに対応する梁部分３８を工場で予め溶接などにより連結しておく。そして、施工現場で３つの梁部分３８のブロック３６ａ、２つの梁部分３８のブロック３６ｂおよび３つの梁部分３８のブロック３６ｃをこの順番で並べてボルトなどにより連結する。このとき、各ブロック３６ａ、３６ｂ、３６ｃの連結とともに、ブロック３６ａ、３６ｂ、３６ｃの間に後述する梁繋ぎを挟んで、これも同時に連結する。
【００２８】
そして、連結された多角形梁３６の両端をそれぞれ２本の本体梁１８の各先端に連結し、多角形梁３６の中央を持ち出し梁３４に接合する。多角形梁３６はこの他にも、たとえば２本の梁繋ぎ４０と接合される。梁繋ぎ４０はＨ形鋼より細いＣ形鋼などであり、持ち出し梁３４と平行で、斜め梁３０と多角形梁３６とを繋ぐ。
【００２９】
このように形成された建物構造１０に床板や壁などを取り付け、多角形梁３６の外側に外側パネル４２と貼り付けると、非矩形平面空間１４が形成される。
【００３０】
この建物構造１０では、２本の本体梁１８および斜め梁３０で三角形の平面を支え、斜め梁３０および多角形梁３６でこれらの間に形成された平面を支える。２本の本体梁１８は本体構造１６の３本の柱２０で支えられ、斜め梁３０は２本の本体梁１８で支えられる。また、多角形梁３６は２本の本体梁１８および持ち出し梁３４で支えられ、持ち出し梁３４は斜め梁３０および控梁３２で支えられる。つまり、控梁３２は本体梁１８および斜め梁３０の三角形の中に架けられてその剛性は高いため、持ち出し梁３４が下がろうとして斜め梁が捩れるのを防止し、持ち出し梁３４、延いては多角形梁３６を本体梁１８および斜め梁３０で形成される面と同じ位置に維持する。
【００３１】
このように、直交する本体梁１８に斜め梁３０を連結することにより、これらで形成された三角形の平面は、たとえば３本の柱２０で支持されて安定し、この部分の建物構造１０の強度は高い。このため、多角形梁３６を斜め梁３０に接合する持ち出し梁３４、および本体梁１８で支え、しかも持ち出し梁３４を控梁３２で支持するため、非矩形平面空間１４の建物構造１０全体の強度は高い。
【００３２】
また、三角形の平面を本体梁１８および斜め梁３０で支持すれば、多角形梁３６は三角形の平面から出た範囲だけを支持すればよいため、多角形梁３６自体は従来に比べて大きな剛性を必要としない。このため、本体構造１６の本体梁１８を持ち出すことなく、多角形梁３６を本体梁１８に接合すればよく、しかも、多角形梁３６を柱で直接支持する必要がない。よって、多角形梁３６に沿って配置される外壁は柱などに影響されず、外壁を自由にプランニングすることができる。また、多角形梁３６は直線状の梁部材３８を連結して形成されるため、多角形梁３６の生産性や搬送性などに制約が少なく、コストの低減が図られる。
【００３３】
特に、多角形梁３６をブロック３６ａ、３６ｂ、３６ｃに分けて、工場で梁部分３８を溶接などにより予め連結して各ブロック３６ａ、３６ｂ、３６ｃを形成しておけば、施工現場ではブロック３６ａ、３６ｂ、３６ｃどうしを連結すればよいので、現場での梁部分３８を連結する工程数は減少する。そして、溶接により梁部分３８を互いに連結すると、その連結強度はボルトなどにより連結した場合の連結強度より高いため、７つの梁部分３８をボルトなどにより連結した多角形梁３６の剛性に比べてこのブロック３６ａ、３６ｂ、３６ｃを用いた多角形梁３６の剛性は高い。また、７つの梁部分３８全てを連結した多角形梁３６の大きさに比べて、２つまたは３つの梁部分３８を連結したブロック３６ａ、３６ｂ、３６ｃの大きさは小さいため、これを搬送する際の無駄なスペースが少なくてすみ、この搬送効率は良い。したがって、ブロック３６ａ、３６ｂ、３６ｃを連結して多角形梁３６を形成することにより、多角形梁３６の強度を向上し、かつ搬送効率や施工現場での作業性に優れる。
【００３４】
また、多角形梁３６だけでなく、斜め梁３０や控梁３２なども直線状部材が用いられるため、この建物構造全体として生産性などに優れ、コストを抑えられる。
【００３５】
さらに、これらの梁の長さや梁の連結角度を変えることにより多様な外観形状の非矩形平面空間１４の建物構造を形成することができる。
【図面の簡単な説明】
【００３６】
【図１】この発明の一実施例の建物構造を示す平面図である。
【図２】非矩形平面空間を含む建物を示す斜視図である。
【図３】建物構造を用いた非矩形平面空間を示す斜視図である。
【符号の説明】
【００３７】
１０…建物構造
１８…本体梁
２０…柱
３０…斜め梁
３２…控梁
３４…持ち出し梁
【図１】
2006132179.tif 000003
【図２】
2006132179.tif 000004
【図３】
2006132179.tif 000005